(57)【要約】      （修正有）【課題】ペーパーホルダーに触れることなしにワンタッチでペーパーを切ることができる。【解決手段】トイレットペーパーカバーのカバー軸に設けられた歯車、ペーパー軸に設けられたペーパー歯車、前記カバー歯車と前記ペーパー歯車との間に設けられた中間歯車であって、ペーパーを引き出すときにはカバー軸には力が働かず、一方カバーが自重で元に戻る際にはペーパー軸には回転が伝わりペーパーの先端出しが出きるように一方向クラッチをカバー歯車に設けたカバーストッパーを本体に設けることによりペーパーを希望の長さに引き出したあと上に持ち上げればぺーパーカバーはロックされぺーパーを横に引けば切ることが出来る。【選択図】図１
0003138608.tif 000002
【実用新案登録請求の範囲】
【請求項１】
▲１▼所定の長さに引き出されたロールペーパーでカバーを持ち上げる事によりペーパーを緊張させながらペーパーカバーの端面の刃部で切る。ペーパーホルダーはペーパーを切った後、自重で元の位置に戻ると共にペーパーの先端出しをする。刃部には掻き落とし板をつける。
▲２▼ペーパーのホルダーは爪付の軸で保持する。
▲３▼ペーパーホルダーに無接触且つワンタッチでペーパーを切ることが出来て、専用のペーパー補給器を取り付けることが出来る。
以上の構成からなるロールペーパーホルダー。
【考案の詳細な説明】
【技術分野】
【０００１】  本考案は衛生及び心理面を考慮に入れ、且つ作業性を重視して紙を切り取るものである。
【背景技術】
【０００２】  ホルダーに触れるのは心理的にためらわれているが、実際にペーパーの先端を切り出すため左手でカバーを持ち上げ右手で必要な長さのペーパーを引き出し改めてカバーを左手で押さえ紙を切り取っているので時間がかかる。【０００３】  ロールペーパーはトイレ以外にも使用されて良いものだが、作業性の悪さがトイレ専用に限られている一因でもある。
【考案の開示】
【考案が解決しようとする課題】
【０００４】  問題を解決するための課題は次のとおりである。
１  作業性が悪く時間がかかる。
２  ホルダーに接触するのでためらいがある。
３  トイレ以外での使用が少ない。
【課題を解決するための手段】
【０００５】  本案はペーパーを切るため、ペーパーを持ち上げることによりペーパーカバーを上げて先端の刃部で切り、カバーはその後自重で元の位置に戻る時一方向クラッチによりペーパーの先端出しをする。【０００６】  ペーパーを引き出す時その惰性で余分に引き出されたりしないように必要なフリクッションを設ける。【０００７】ペーパー軸とペーパーは同時に回転しなくては紙の先端だしが出来ないので固定するかフリクションで同時回転して且つペーパー補給が容易になるものでなければならない。
【考案の効果】
【０００８】上述のように左右どちらかの手で先端だしされた紙を持って所要の長さに切るものでホルダーに無接触でワンタッチでペーパーを切ることが出来る。【０００９】このペーパーホルダーに適したペーパー補給箱を取り付けることが出来る。
【考案を実施するための最良の形態】
【００１０】図１と図２の如く最良の形態としては本体１に３つの主要な軸があり、一つはカバー軸２にカバー８が図５のように圧入されている。二つ目はペーパー軸Ａ３で先端に図１０のように板状の爪があり、軸の他端にはペーパー歯車６が軸に固定されている。三つ目は中間軸４でカバー軸２とペーパー軸Ａ３の回転が同じになるし必要な抵抗を持たせるため、中間歯車７にフリクションバネ１０がある。カバー歯車５には一方向クラッチ９が圧入され、その方向は図１の如くカバー８が持ち上げる時はカバー歯車５には力が伝わらなくてカバー８が戻るときは強制的にカバー歯車５を回転させペーパー歯車６を動かしてペーパー３７の先端出しをするように圧入する。このようにすれば、ペーパー３７を引っ張りペーパー歯車６を反時計に回せばカバー歯車５が同方向に回転するがカバー軸２には力を及ぼすことなくペーパーは引き出される。なお、下部ストッパー１２はカバー８の下のストッパーである。【００１１】今必要な長さに紙を引き出すとき、惰性で必要以上の紙がでたり、図１の如く紙を持ち、カバー８をあげてカッター２４で切るとき、紙が緊張しなければならないが中間軸４のバネはそのためのフリクションバネ１０である。カッター２４とフリクションの強さによっては上部ストッパー１１にストップされなくても途中で切ることはできるが先端出しの長さは短くなる。【００１２】本案はペーパー軸Ａ３とペーパー軸Ｂ１５はロールペーパーと同時に回転しなくてはならないが現在市販されているロールペーパーのコアの穴径やペーパーの軸方向の長さは製品によりかなりのバラツキがあり、それを解決するために図２と図１０のように段付の軸に４枚の板状の爪を付けたもので爪のテーパーの部分がロールペーパーのコアに入り込み、穴径や軸の長さのバラツキもまたセンターのズレも吸収するもので扉１６に付いているペーパー軸Ｂ１５を加圧するためのバネが押し込みバネ２０である。図３、図４の如く、扉１６はヒンジ軸１８と受板１７により回転して開閉をする。ロック軸２１は閉まった時の受けでありロック板２２とロック用バネ２３により固定されるロック板２２はペーパー軸Ｂ１５の方向にズラせば扉は開き押込バネ２０の力で自ら開くようになる。ピン１９は扉が開いてバネがフリーになったペーパー軸Ｂ１５がハズレないように抜け止め用ピンである。【００１３】カバーの端面につけられたカッター２４でペーパーを切ると紙の質によって紙の繊維がカッターの刃部に引っかかりペーパーが重れない場合があるため掻き落とし板２５を設け６図の如くペーパーによって持ち上がった掻き落とし板がペーパーが切れた後自重により７図のように元の位置に戻ることにより引っかかった紙をはがすことになる。軸はその案内軸２６である。【００１４】従来のペーパーホルダーと使い方が異なるため本方式による半自動的な補給箱を示す。
図８は補給箱２７に３本のペーパーがあり、図９の２点鎖線はペーパーホルダーと補給箱との関係を横から示した物で架台２９が可動軸２８につけられたプーリー３１を介してベルト３２で吊られているベルトの他端は錘３３が取り付けられていて架台２９を持ち上げようとしている。補給箱には架台２９の通る部分に上から下まで間隔があり、架台２９の周り止めにもなっている。基台３０はその基板である。ホルダー内のペーパーを使い終えたとき、先ず図４のロック板２２をペーパー軸Ｂ１５の方向にズラせな扉１６は開き、ペーパーコアを取り出すことが出来る。次に図９のシャッター３５を手前に引きシャッターを開けば錘３３の力により架台２９が持ち上がり、一番上のペーパーが案内板１４を通ってペーパー上部ストッパー１３まで持ち上がる。上部ストッパーはやや上に、案内板１４は少し奥に設定しておけば、両ペーパー軸Ａ・Ｂに扉版を閉めて収めるとき正しいセンター位置に戻されてロールペーパーの邪魔にはならない。ここで扉１６を閉めればロック板２２がロックバネ２３によりロック軸２１に入り扉がセットされ、シャッター３５を閉めれば補給が完了する。ペーパーの中心より少し上ではシャッターはワンタッチで閉まらなくて手を介してペーパーを引き下げながらでないと閉まらないが、上の方であればシャッターはワンタッチで閉まる。又、ペーパーはロールなので丸みの形で接触しているので架台２９は図９の如く少しテーパーをつけていれば案内板１４に安定して接することが出来る。このようにして２番目のペーパーを補給する。３番目は架台がじかにペーパーをホルダーに入り込ませる迄持ち上げることになる。ここでホルダーに補給箱を近づければ良いと考えられるが、先端だしされて垂れ下がった紙を取るための手は補給箱が邪魔になることになるので必要な長さだけ補給箱を下げる必要がある。シャッターの位置はその仕様による。又、補給扉３４はペーパー補給口の扉である。基台３０によってセットされた補給部はホルダー台板３６に固定される。【００１５】ペーパーホルダーは補給装置に関係なく一般に使われているように壁面に取り付けたり、ホルダー台板３６に取り付ければそのまま従来と同じように使用できる。
【実施例】
【００１６】以前に先行試作をしたが実際使用していない。
【産業上の利用】
【図面の簡単な説明】
【００１７】
【図１】正面図に対する右側面図
【図２】カバー軸と中間軸とペーパー軸の断面図（Ａ−Ｂ−Ｃ−Ｄ−Ｅ矢視図）
【図３】正面図
【図４】上面図（一部）
【図５】カバー軸とカバー断面図
【図６】刃先部の断面図ペーパー有
【図７】刃先部の断面図ペーパーなし
【図８】補給箱の正面図
【図９】補給箱の横断面図
【図１０】扉と爪の概念図
【符号の説明】
【００１８】１  本体
２  カバー軸
３  ペーパー軸Ａ
４  中間軸
５  カバー歯車
６  ペーパー歯車
７  中間歯車
８  カバー
９  一方向クラッチ
１０  フリクションバネ
１１  上部ストッパー
１２  下部ストッパー
１３  ペーパー上部ストッパー
１４  案内板
１５  ペーパー軸Ｂ
１６  扉
１７  受板
１８  ヒンジ軸
１９  ピン
２０  押込バネ
２１  ロック軸
２２  ロック板
２３  ロック用バネ
２４  カッター
２５  掻き落とし板
２６  案内軸
２７  補給箱
２８  可動軸
２９  架台
３０  基台
３１  プーリー
３２  ベルト
３３  錘
３４  補給扉
３５  シャッター
３６  ホルダー台板
３７  ペーパー
【図１】
0003138608.tif 000003
【図２】
0003138608.tif 000004
【図５】
0003138608.tif 000005
【図３】
0003138608.tif 000006
【図４】
0003138608.tif 000007
【図６】
0003138608.tif 000008
【図７】
0003138608.tif 000009
【図８】
0003138608.tif 000010
【図９】
0003138608.tif 000011
【図１０】
0003138608.tif 000012
【手続補正書】
【提出日】平成19年9月11日(2007.9.11)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーカバーのカバー軸に設けられた歯車、ペーパー軸に設けられたペーパー歯車、前記カバー歯車と前記ペーパー歯車との間に設けられた中間歯車であって、ペーパーを引出す時にはカバー軸には力が働かず、一方カバーが自重で元に戻る際にはペーパー軸には回転が伝わりペーパーの先端出しが出きるように一方向クラッチをカバー歯車に設けた事を特徴とするペーパーホルダー。
【請求項２】
カバーストッパーを本体に設けることによりペーパーを希望の長さに引き出したあと上に持ち上げればペーパーカバーはロックされペーパーを横に引けば切ることが出来るようにペーパーカバーの先端に刃部を設けた事を特徴とする請求項１に記載のペーパーホルダー。
【請求項３】
刃部を設けたペーパーカバーの裏側に案内軸を設け、更に長穴のあいた掻き落し板を案内軸にあわせる事により希望の長さに引き出されたペーパーを切る時はペーパーを上に持ち上げればカバーと同時に掻き落し板も上がり、一方カバーが自重で元に戻る際には掻き落し板も元に戻り、刃部に絡んだペーパーの繊維を掻き落しペーパーを正常に垂れ下がるよう前記掻き落し板を設けた事を特徴とする請求項１に記載のペーパーホルダー。
【請求項４】
カバー軸より伝えられた回転をペーパー軸に伝えてペーパーの先端出しを行いペーパーをペーパー軸と同時に回転させるために直角三角形のような爪板をペーパー軸に複数取り付けてペーパーコアーの穴にあわせ、更に反対側からも同じ爪板を複数取り付けた押え軸に圧縮バネを介してペーパーコアーに押し付けるとこの爪板によりペーパーコアーの穴径や幅のバラツキと芯ブレを吸収して伝えられたペーパー軸の回転がペーパーに伝わるようにペーパー軸を設けた事を特徴とする請求項１に記載のペーパーホルダー。
【請求項５】
上記ペーパーホルダーは従来通りに壁面に取り付けて使用できるが、その他ペーパーホルダー下部のスペースを利用して床面にホルダー台板を置いて使用もでき、前記スペース上部にペーパーホルダーを、下部に専用のペーパー補給箱を置く事により基台に設けたプーリーと錘の作用でストックのトイレットペーパーを乗せた架台が常に持ち上げられてペーパーがなくなった時は補給箱の扉を開けばストックのペーパーが順次上に運ばれて補給が出来る専用のペーパー補給箱とセットで使用する事が出来ることを特徴とする請求項１に記載のペーパーホルダー。